(57)【要約】【課題】装着を容易にするとともに、装着時におけるランプピンの脱落を防止できる渦巻状ランプおよび照明器具を提供する。【解決手段】渦巻状蛍光ランプ４０は、装着されると渦巻状に旋回された発光管４１の両端部に設けられた口金４２をランプ保持ばね２６により保持される。このとき、口金４２に設けられている段差部４６の案内部４６２が、ランプ保持ばね２６を所定の位置に案内するので、段差部４６に設けられているストッパ部４６５がランプ保持ばね２６に当接する。このため、ランプ保持ばね２６は、渦巻状蛍光ランプ４０を所定の位置で保持することができ、渦巻状ランプ４０の旋回を確実に阻止して脱落を防止することができる。【選択図】図３
2012190695.tif 000002
【特許請求の範囲】
【請求項１】
管状の放電路が渦巻状に旋回された発光管と、
前記発光管の両端部にそれぞれ設けられた一対の口金と、を有し、
前記口金に段差部を設け、
前記段差部に、前記発光管を保持するランプ保持ばねにより所定位置に案内される案内部と、前記所定位置において前記ランプ保持ばねが当接して回転規制するストッパ部と、を設けた渦巻状ランプ。
【請求項２】
請求項１に記載の渦巻状ランプにおいて、
前記案内部は傾斜面である渦巻状ランプ。
【請求項３】
請求項１または請求項２に記載の渦巻状ランプの案内部を案内して所定位置に保持するランプ保持ばねと、
前記渦巻状ランプの口金に設けられている給電用ピンを接続させて給電するソケットと、を有する照明器具。
【発明の詳細な説明】
【技術分野】
【０００１】
本発明は、放電路が渦巻状に旋回された発光管を有する渦巻状ランプおよび照明器具に関するものである。
【背景技術】
【０００２】
従来より、天井面等に取り付けられ、渦巻状ランプを用いた照明器具が知られている（例えば特許文献１参照）。
図６に示すように、特許文献１に記載の照明器具１００は、天井や壁等の壁面１０１に固定して使用するものであり、例えば矩形箱状の器具本体１０２と、器具本体１０２の前面開口を覆う透明あるいは半透明の樹脂等からなるパネル１０３を有している。器具本体１０２の底板１０４には、一方の端部寄りに商用交流電源（図示省略）に接続されている点灯装置１０５等の電気部品が取付けられており、点灯装置１０５等を覆うとともにパネル１０３を取付けるための取付板１０６が設けられている。
【０００３】
底板１０４の中央部および他方の端部寄りには、渦巻状ランプ１０７の照明光をパネル１０３側に反射して照明効率を向上させる反射板１０８が設けられており、反射板１０８の上面に、渦巻状ランプ１０７を装着するための一対のランプソケット１０９，１０９が取付けられている。ランプソケット１０９の近傍には、渦巻状ランプ１０７を保持するランプ保持ばね１１０が設けられている。
【０００４】
従って、渦巻状ランプ１０７の両端の口金１１１、１１１に設けられているランプピン１１２をランプソケット１０９に取り付けるとともに、口金１１１の近傍をランプ保持ばね１１０で保持することにより、渦巻状ランプ１０７を装着する。
これにより、面発光で均一な照明光を得ることができる。
【先行技術文献】
【特許文献】
【０００５】
【特許文献１】特開２００９−１７６６５７号公報（第１図）
【発明の概要】
【発明が解決しようとする課題】
【０００６】
前述したような渦巻状ランプ１０７を用いた従来の照明器具１００においては、ランプピン１１２がソケットから脱落しないように、渦巻状ランプ１０７の回転規制が行われている。このとき、ランプ保持ばね１１０にストッパ部を設けて、回転規制を行う場合がある。
しかしながら、ランプ保持ばね１１０にストッパ部を設けた場合には、渦巻状ランプ１０７の着脱時に、ストッパ部が渦巻状ランプ１０７に接触するため、着脱が容易でないという問題があった。
【０００７】
本発明は、従来の問題を解決するためになされたもので、渦巻状ランプの装着を容易にするとともに、装着時における渦巻状ランプの旋回を防止して脱落を防止できる渦巻状ランプおよび照明器具を提供することを目的とする。
【課題を解決するための手段】
【０００８】
本発明の渦巻状ランプは、管状の放電路が渦巻状に旋回された発光管と、前記発光管の両端部にそれぞれ設けられた一対の口金と、を有し、前記口金に段差部を設け、前記段差部に、前記発光管を保持するランプ保持ばねにより所定位置に案内される案内部と、前記所定位置において前記ランプ保持ばねが当接して回転規制するストッパ部と、を設けたものである。
【０００９】
また、本発明の渦巻状ランプは、前記案内部は傾斜面であるものである。
【００１０】
さらに、本発明の照明器具は、前述した渦巻状ランプの案内部を案内して所定位置に保持するランプ保持ばねと、前記渦巻状ランプの口金に設けられている給電用ピンを接続させて給電するソケットと、を有するものである。
【発明の効果】
【００１１】
本発明は、渦巻状ランプは、装着されると渦巻状に旋回された発光管の両端部に設けられた口金をランプ保持ばねにより保持される。このとき、口金に設けられている段差部の案内部が、ランプ保持ばねを所定の位置に案内するので、段差部に設けられているストッパ部がランプ保持ばねに当接する。このため、渦巻状ランプの装着を容易にするとともに、装着時における渦巻状ランプの旋回を防止して脱落を防止できるという効果を有する渦巻状ランプおよび照明器具を提供できる。
【図面の簡単な説明】
【００１２】
【図１】本発明に係る実施形態の渦巻状ランプおよび照明器具の分解斜視図
【図２】（Ａ）は渦巻状蛍光ランプの斜視図であり、（Ｂ）は口金部の斜視図
【図３】（Ａ）は口金を端部側から見た斜視図であり、（Ｂ）は口金を発光管側から見た斜視図
【図４】ランプ保持ばねにより渦巻状蛍光ランプを保持する状態を示す斜視図
【図５】（Ａ）はランプ保持ばねが口金の段差部を保持している状態を示す斜視図であり、（Ｂ）はランプ保持ばねが段差部の案内部に沿って移動して所定位置を保持して回転規制している状態を示す斜視図
【図６】従来の渦巻状蛍光ランプを用いた照明器具の分解斜視図
【発明を実施するための形態】
【００１３】
以下、本発明の実施形態の照明器具について、図面を用いて説明する。
図１に示すように、本発明に係る実施形態の照明器具１０は、被取付部である例えば天井面１１に取り付けて使用することができる。すなわち、照明器具１０は、天井面１１に取り付けられる器具本体２０と、器具本体２０に搭載される渦巻状ランプである渦巻状蛍光ランプ４０と、渦巻状蛍光ランプ４０を覆って器具本体２０に着脱可能に装着される透光性の樹脂製のセード５０を有する。
なお、以下の照明器具１０の説明において、「上（面）側」は天井面１１側を示し、「下（面）側」は照射方向を示すこととする。
【００１４】
図２に示すように、渦巻状蛍光ランプ４０は、管状の放電路が長手方向中央部４１１を始点すなわち旋回軸ＣＬとして同一平面に沿って２重渦巻状に旋回された発光管４１を有する。発光管４１の中央部４１１は、その他の部分に比して太径となっており、最冷点となっている。
発光管４１の両端部にはそれぞれ口金４２、４２が取付けられており、両口金４２は、発光管４１の中央部４１１に対して、点対称の位置に設けられている。両口金４２は、照射方向と反対側（図３中上側）の裏面に設けられたブリッジ４３によって連結されている。
【００１５】
図３に示すように、口金４２は、発光管４１の端部に外嵌する円管状の発光管保持部４５を有する。また、発光管保持部４５に連続して端部側には、渦巻状蛍光ランプ４０の外周方向へ突出する段差部４６を有する。さらに、段差部４６の端部側面４６１から発光管４１の接線方向へ突出するピン保持部４７を有する。
口金４２には、ピン保持部４７の端面４７１から発光管４１の旋回軸ＣＬに対して直交する平面に沿って延びる方向に一端側が突出する一対の給電用ピンであるランプピン４４，４４が、設けられている。ランプピン４４の他端は、発光管４１の内側端部に設けられているフィラメント（図示省略）に接続されている。
【００１６】
段差部４６は、外側へ略矩形状に突出しており、先端面には案内部４６２が設けられている。案内部４６２は、端部側面４６１から中央部に向かって発光管４１の軸線側へ傾斜する三角形状の第１傾斜面４６３と、第１傾斜面４６３の上下両側に連続して中央部に向かって発光管４１の軸線側へ傾斜する一対の三角形状の第２傾斜面４６４、４６４を有する。
【００１７】
そして、段差部４６における中央側端面、すなわち、段差部４６の中央部側端面であって、第２傾斜面４６４の中央部側端部から発光管保持部４５の端部側端部に連続する部分には、一対のストッパ部４６５が設けられる。
これにより、段差部の案内部４６２は、全体として中央部側に向かって発光管４１の軸線側（図３中矢印で示す方向）へ傾斜する。
【００１８】
図１に示すように、器具本体２０は、金属製の円板状のベースプレート２１を有する。ベースプレート２１の下面の外周縁部には、セード５０を着脱可能に装着するためのセード受け具２１１が、周方向に所定間隔で複数個（図１では３個）設けられている。
ベースプレート２１の下面には、点灯装置、リモコン受信器，制御基板等を収容した電気部品２２が取り付けられる。ベースプレート２１の下面には、電気部品２２を内包する本体カバー２３が取り付けられる。本体カバー２３の下面は白色塗装されており、反射板としても機能する。
なお、器具本体２０という場合には、ベースプレート２１から本体カバー２３までを含んだものを意味する。
【００１９】
図２に示すように、器具本体２０の下面である本体カバー２３の下面には、器具本体２０の中心に対して対称の位置に一対のランプソケット台２４、２４が取り付けられている。各ランプソケット台２４には、ランプピン４４を接続することにより渦巻状蛍光ランプ４０を器具本体２０に装着するためのランプソケット（ソケット）２５がそれぞれ設けられる。
従って、一対のランプソケット２５、２５は、器具本体２０の中心に対して対称の位置に設けられる。
【００２０】
図４に示すように、ランプソケット２５の渦巻状蛍光ランプ４０側の近傍には、渦巻状蛍光ランプ４０の一対の口金４２、４２を保持する一対のランプ保持ばね２６、２６が設けられている。ランプ保持ばね２６は、器具本体２０の本体カバー２３の下面に取り付けられている。
ランプ保持ばね２６は細幅のばね性のある金属製であり、口金４２の発光管保持部４５を渦巻状蛍光ランプ４０の外側からを保持する部分円弧状の保持部２６１を有する。また、保持部２６１の先端は、外側へ屈曲されて導入部２６２が設けられている。
従って、渦巻状蛍光ランプ４０を器具本体２０のランプ保持ばね２６に取り付ける際には、渦巻状蛍光ランプ４０をランプ保持ばね２６の導入部２６２に押し付けることにより、ランプ保持ばね２６が外側へ開くので、容易に保持できる。
【００２１】
次に、ランプ保持ばね２６により渦巻状蛍光ランプ４０を保持および回転規制する動作について説明する。
図５（Ａ）には、渦巻状蛍光ランプ４０をランプ保持ばね２６に取り付けた際に、口金４２における所定位置である発光管保持部４５からずれて段差部４６を保持した場合を示す。
この場合、ランプ保持ばね２６は口金４２の段差部４６の案内部４６２に当接しており、案内部４６２は、第１傾斜面４６３および第２傾斜面４６４が傾斜（図３参照）しているので、ランプ保持ばね２６を相対的に矢印Ａ方向へ移動させようとする。あるいは、渦巻状蛍光ランプ４０を矢印Ｂ方向へ旋回させようとする。
【００２２】
その結果、図５（Ｂ）に示すように、ランプ保持ばね２６は、渦巻状蛍光ランプ４０に対して相対的に矢印Ａ方向へ移動して、案内部４６２から発光管保持部４５へ滑り落ちる。
これにより、ランプ保持ばね２６は所定位置である発光管保持部４５を保持する。さらに、ランプ保持ばね２６の側面が段差部４６のストッパ部４６５に当接するので、渦巻状蛍光ランプ４０のランプピン４４がランプソケット２５から脱落する方向へ渦巻状蛍光ランプ４０が旋回するのを防止する。
【００２３】
以上、説明した本発明に係る実施形態の渦巻状蛍光ランプ４０によれば、渦巻状蛍光ランプ４０が装着されると、渦巻状に旋回された発光管４１の両端部に設けられた口金４２が、ランプ保持ばね２６により保持される。このとき、口金４２に設けられている段差部４６の案内部４６２が、ランプ保持ばね２６を所定の位置に案内するので、段差部４６に設けられているストッパ部４６５がランプ保持ばね２６に当接する。
このため、渦巻状蛍光ランプ４０を容易に装着できるとともに、ランプ保持ばね２６は、渦巻状蛍光ランプ４０を所定の位置で保持することができ、渦巻状蛍光ランプ４０の旋回を確実に阻止して脱落を防止することができる。
【００２４】
また、案内部４６２は、傾斜面４６３、４６４となっているので、案内部４６２に当接したランプ保持ばね２６は、傾斜面４６３、４６４を滑って所定の位置に位置決めされる。
【００２５】
さらに、説明した本発明に係る実施形態の照明器具１０によれば、前述したような渦巻状蛍光ランプ４０のランプピン４４を、ランプソケット２５に接続して給電する。このとき、ランプ保持ばね２６が口金４２を保持するが、口金４２に設けられている段差部４６の案内部４６２が、ランプ保持ばね２６を所定の位置に案内するので、段差部４６に設けられているストッパ部４６５がランプ保持ばね２６に当接する。
このため、ランプ保持ばね２６は、容易に渦巻状蛍光ランプ４０を保持できるとともに、渦巻状蛍光ランプ４０を所定の位置で保持することができ、渦巻状蛍光ランプ４０の旋回を確実に阻止して脱落を防止することができる。
【００２６】
なお、本発明の渦巻状ランプおよび照明器具は、前述した実施形態に限定されるものでなく、適宜な変形，改良等が可能である。
【符号の説明】
【００２７】
１０  照明器具
２０  器具本体
４０  渦巻状蛍光ランプ（渦巻状ランプ）
２５  ランプソケット（ソケット）
２６  ランプ保持ばね
４１  発光管
４２  口金
４４  ランプピン（給電用ピン）
４６  段差部
４６２  案内部
４６３  第１傾斜面（傾斜面）
４６４  第２傾斜面（傾斜面）
４６５  ストッパ部
【図１】
2012190695.tif 000003
【図２】
2012190695.tif 000004
【図３】
2012190695.tif 000005
【図４】
2012190695.tif 000006
【図５】
2012190695.tif 000007
【図６】
2012190695.tif 000008